(57)【要約】【課題】コンピュータ上に表示される広告の広告効果を高めること。【解決手段】複数の広告のうちの選択された広告を要求に応じて配信するための、コンピュータが実行する方法である。複数の広告は、特典を与えるための広告を含んでおり、この方法は、（ａ）予め指定されている状態を取得するステップと、（ｂ）予め指定されている状態が条件を満たしているかを判定するステップと、（ｃ）条件を満たしている場合に、特典を与えるための広告を、条件を満たしていない場合に、複数の広告のうちの特典を与えるための広告以外の広告を配信するステップとを含んでいる。【選択図】図３
2017199185.tif 000002
【特許請求の範囲】
【請求項１】
複数の広告のうちの選択された広告を要求に応じて配信するための、コンピュータが実行する方法であって、前記複数の広告は、特典を与えるための広告を含み、前記方法は、
（ａ）予め指定されている状態を取得するステップと、
（ｂ）前記予め指定されている状態が条件を満たしているかを判定するステップと、
（ｃ）前記条件を満たしている場合に、前記特典を与えるための広告を、前記条件を満たしていない場合に、前記複数の広告のうちの前記特典を与えるための広告以外の広告を配信するステップと
を含む、方法。
【請求項２】
請求項１に記載の方法であって、前記ステップ（ａ）は、予め指定されている状態としてランダム値を取得するステップを含む、方法。
【請求項３】
請求項２に記載の方法であって、前記ステップ（ａ）は、予め指定されている状態として、特典を与えるための広告が配信された回数を更に取得するステップを含む、方法。
【請求項４】
請求項１から３の何れか一項に記載の方法であって、該方法は、
要求に応じて、配信する前記広告に関連付けられたＵＲＬを配信するステップ
を更に含み、
前記特典を与えるための広告には、アクセス可能回数の制限されたＵＲＬが関連付けられる、
プログラム。
【請求項５】
請求項４に記載の方法であって、前記アクセス可能回数は１回である、方法。
【請求項６】
請求項４又は５に記載の方法であって、
前記コンピュータとは別のコンピュータから、前記特典を与えるための広告に関連付けられる前記ＵＲＬを取得するステップ
を更に含む方法。
【請求項７】
請求項１から６のうちの何れか一項に記載の方法を実行するコンピュータ。
【請求項８】
請求項１から６のうちの何れか一項に記載の方法をコンピュータに実行させるプログラム。
【発明の詳細な説明】
【技術分野】
【０００１】
本発明は、広告を配信するための方法、コンピュータ及びプログラムに関する。
【背景技術】
【０００２】
コンピュータ上に表示される広告、例えば、インターネット上のウェブページの一部として表示される広告や、スマートフォン等のアプリケーションの画面の一部として表示される広告が広く用いられている。
【０００３】
あるユーザが、例えばウェブページを閲覧しているとき、当該ページに含まれる広告は、ユーザが必要とする情報ではないことが多い。そのため、ユーザはそのような広告を積極的に見ようとはせず、その結果、望まれるような広告の効果は得られない場合がある。
【０００４】
従来技術として、特開２００２−１５７４８８号公報は、インターネット広告の閲覧促進システムを開示している。このシステムでは、ユーザがバナー広告をクリックしてバナー広告主のホームページ（広告ページ）を閲覧することを前提として（当該文献の段落［０００４］を参照）、閲覧ポイントの対象となっているインターネット広告の中から任意に選択した広告ページに籖を不可視的に書込んでおき、登録したユーザが当該ページを閲覧したとき、当該籖の当落を判別し、当選した場合には当選商品を当該ユーザに提供すると共に、その旨の表示を閲覧ポイントの対象となる広告ページに掲載するものとしている（同段落［０００７］を参照）。
【先行技術文献】
【特許文献】
【０００５】
【特許文献１】特開２００２−１５７４８８号公報
【発明の概要】
【発明が解決しようとする課題】
【０００６】
しかし、上記従来技術によると、籤の当選を目的としたバナー広告のクリックや広告ページの表示は促進される可能性はあるが、ユーザの意識が籤の当落のみに集中した結果、ユーザは広告そのものに注目しない可能性がある。例えば、ユーザは、バナー広告らしきものを片っ端からクリックし、クリック後はすぐに表示されたページを確認しようとするため、バナー広告自体を詳細に見ない可能性がある。また、例えば、広告ページが表示されたときに籤の当落が分かってしまうために、落選した場合にそのページに含まれる広告を見ずにページを閉じてしまう可能性がある。
【０００７】
また、広告は、限られた表示領域を有効に活用するために、経時的に表示が切り替わることがあるが、上記文献に、経時的に表示が切り替わるような形態の広告についての記載はない。
【課題を解決するための手段】
【０００８】
本発明は、以上に鑑みてなされたものである。
【０００９】
上記課題を解決するための本発明の第１基本態様の例は、複数の広告のうちの選択された広告を要求に応じて配信するための、コンピュータが実行する方法である。複数の広告は、特典を与えるための広告を含んでおり、この方法は、
（ａ）予め指定されている状態を取得するステップと、
（ｂ）予め指定されている状態が条件を満たしているかを判定するステップと、
（ｃ）条件を満たしている場合に、特典を与えるための広告を、条件を満たしていない場合に、複数の広告のうちの特典を与えるための広告以外の広告を配信するステップと
を含んでいる。
【００１０】
上記課題を解決するための本発明の第２基本態様の例は、上記方法を実行するコンピュータである。
【００１１】
上記課題を解決するための本発明の第３基本態様の例は、上記方法をコンピュータに実行させるプログラムである。
【発明の効果】
【００１２】
本発明の一例によると、経時的に表示が切り替わる広告に、特定のタイミングでのみ、ユーザが注目するであろう広告を含ませることができる。継続して広告を見ていなければ、ユーザは上記のような広告を見落としてしまうために、ユーザによる、経時的に表示が切り替わる広告そのものへの注目が期待される。
【図面の簡単な説明】
【００１３】
【図１Ａ】広告を含むＷｅｂページの例
【図１Ｂ】広告を含むアプリケーションに応じた画面の例
【図１Ｃ】特典を与えるための広告の例
【図１Ｄ】特典を与えるための広告の例
【図１Ｅ】特典を与えるための広告以外の広告の例
【図１Ｆ】特典を与えるための広告の例
【図１Ｇ】特典を与えるためのＷｅｂページの例
【図１Ｈ】特典を与えるためのＷｅｂページの例
【図１Ｉ】特典を与えるためのＷｅｂページの例
【図２】本発明の実施の第１態様に係るシステムの構成例
【図３】本発明の実施の第１態様における処理の流れの例
【図４】アクセス可能回数の制限されたＵＲＬの実現例
【図５】アクセス可能回数の制限されたＵＲＬの実現例
【図６】アクセス可能回数の制限されたＵＲＬの実現例
【図７】コンピュータのハードウェア構成例
【発明を実施するための形態】
【００１４】
１  広告について
本発明の実施の態様について説明する前に、「広告」について説明すると、本願において、「広告」とは、コンピュータの画面に表示される、テキストを含みうる画像である。なお、「コンピュータ」について、その一例を節５にて説明しているので、参照されたい。
【００１５】
図１Ａは、配信された広告が表示される領域（以下、「広告表示領域」という。）を含むＷｅｂページが表示されたコンピュータの画面の例を表している。１１１は、Ｗｅｂページの任意のコンテンツを示し、１１２は、広告表示領域を示している。
【００１６】
図１Ｂは、広告表示領域を含む、アプリケーションに応じて表示されるコンピュータの画面の例を表している。１２１は、アプリケーションに応じて表示される広告以外のコンテンツを示し、１２２は、広告表示領域を示している。
【００１７】
なお、以下に述べるように、本発明の実施の態様に従い、広告の表示は経時的に変化する。また、これら図において、表示される広告は１つであるが、２以上が表示されてもよい。
【００１８】
本願において、「特典を与えるための広告」とは、例えば、ユーザに特典を与えるためのＷｅｂページのＵＲＬに関連付けられているものや、広告そのものに特典が含まれているもののことである。なお、表示される特典を与えるための広告（画像）は、特典を与えるためのものであることを明示するものであることが好ましい。
【００１９】
以下、特典を与えるための広告及び特典を与えるためのＷｅｂページについて説明する。なお、本願において「特典」とは、ユーザが欲するであろう任意のものであり、以下の説明における特典は、例示に過ぎないことに留意されたい。
【００２０】
１−１  特典を与えるための広告の第１例
図１Ｃ及び１Ｄは、特典を与えるための広告の例を示しており、これら広告には、特典を与えるための広告であることを示す例示の表示（「当たり！！！」）が含まれている。なお、これら広告には、特典を与えるためのＷｅｂページのＵＲＬが関連付けられている。
【００２１】
図１Ｅは、対比として、特典を与えるための広告でない広告の例を示している。この図から明らかなように、図１Ｄにて表した特典を与えるための広告は、特典を与えるための広告でない広告に、特典を与えるための広告であることを示す表示１４１を含めることにより構成されたものである。
【００２２】
１−２  特典を与えるための広告の第２例
図１Ｆは、特典を与えるための広告の例を示しており、この広告には、特典を与えるための広告であることを示す表示（「当たり！！！」）が含まれている。この広告には、更に、あるサービスのポイント（「○○○ポイント」）として３，０００ポイントに相当するシリアル・コード（「ａａａａ−ｂｂｂｂ−ｃｃｃｃ」）が含まれている。即ち、この例においては、広告そのものに、ポイントに相当するシリアル・コードという特典が含まれている。この広告には、何らかのＵＲＬを関連付ける必要はない。
【００２３】
１−３  特典を与えるためのＷｅｂページの例
図１Ｇ、１Ｈ及び１Ｉは、特典を与えるためのＷｅｂページの例を表している。この例において、Ｗｅｂページは、「ポイッター」という、金銭的価値を有するポイントのサービス事業者のものである。即ち、この例において、「特典」はポイッターのポイントである。
【００２４】
図１Ｇは、特典を与えるための広告に関連付けられたＵＲＬにアクセスした際に表示される、コンピュータ上の最初の画面を表している。ユーザから１７１を選択する入力を受けると、コンピュータは、ユーザが獲得するポイントを、ランダムに決定する。ユーザに与えられるポイントの範囲は０以上の任意のものである。
【００２５】
図１Ｈは、ユーザが獲得するポイントして１，０００ポイントが決定された際に遷移するコンピュータ上の画面を表している。ユーザから１８１を選択する入力を受けると、図示しない、予め設定されているＳＮＳ等にメッセージを投稿するための画面に遷移する。その画面から実際にメッセージを投稿することにより、例えば、再度、ポイントを獲得するための最初の画面に遷移するように構成することができる。ユーザから１８２を選択する入力を受けると、コンピュータ上の画面は図１Ｉに表されるものに遷移する。
【００２６】
図１Ｉに表された画面において、ユーザから１９１を選択する入力を受けると、コンピュータ上の画面は、図示しない、ポイッターにログインするための画面に遷移する。ユーザから１９２を選択する入力を受けると、コンピュータ上の画面は、獲得したポイントに相当するシリアル・コードを電子メールにて受け取るための、図示しない電子メール・アドレスの入力画面に遷移する。ユーザから１９３を選択する入力を受けると、コンピュータ上の画面は、図示しない、本発明の実施の態様を利用したサービスについて説明する画面に遷移する。
【００２７】
２  本発明の実施の第１態様の例
本発明の実施の第１態様の例は、複数の広告のうちの選択された広告を要求に応じて配信するための、コンピュータが実行する方法（以下、「広告配信方法」という。）である。
【００２８】
２−１  広告配信方法に係るシステムの構成例
図２は、広告配信方法に係るシステムの構成例を表している。
【００２９】
２１０は、配信された広告が表示されるコンピュータ（以下、「クライアント」という。）を示している。クライアント２１０は、例えば、パーソナル・コンピュータ、タブレット又はスマートフォンであることができる。
【００３０】
クライアント２１０は、ＪａｖａＳｃｒｉｐｔ（登録商標）その他のスクリプトや広告配信用ＳＤＫを用いて任意のアプリケーションに組み込まれるプログラム・モジュール等（以下、「広告表示プログラム」という。）により、図１Ａ及び１Ｂに表したような態様で広告を表示する。また、クライアント２１０は、広告表示プログラムにより、表示されている広告を経時的に変化させる。更に、クライアント２１０は、広告表示プログラムにより、広告を表示するとき又は表示されている広告を変化させるときに、表示すべき広告と、広告に関連付けられたＵＲＬとの配信を、以下で説明する広告配信サーバに要求する。なお、クライアント２１０は、広告表示プログラムを任意の手法で取得することができる。
【００３１】
また、クライアント２１０は、表示されている広告を選択する入力を受けると、表示されている広告に関連付けられたＵＲＬに基づくアクセスを行う。
【００３２】
２２０は、広告配信方法を実行するコンピュータである、広告配信サーバを示している。
【００３３】
２３０は、特典を与えるためのＷｅｂページ（以下、「特典Ｗｅｂページ」という。）をホストするコンピュータ（以下、「特典Ｗｅｂサーバ」という。）を示している。特典Ｗｅｂサーバ２３０は、要求に応じて、特典Ｗｅｂページが記述されたデータ（以下、「特典Ｗｅｂページデータ」という。）をコンピュータに配信する。
【００３４】
２４０は、クライアント２１０と、広告配信サーバ２２０と、特典Ｗｅｂサーバ２３０とを相互に接続する１つ又は複数のネットワークを示している。
【００３５】
２−２  広告配信方法に係る処理の流れの例
図３は、広告配信サーバ２２０が実行する処理の流れの例を示している。この処理は、広告配信サーバ２２０が広告を配信する要求を受けたときに開始する。
【００３６】
３１０は、予め指定されている状態を取得するステップを示し、３２０は、取得した状態が所定の条件を満たしているかを判定するステップを示している。これらステップの具体例については、後述する。
【００３７】
３３０及び３４０は、所定の条件を満たしていると判定した場合に進むステップであって、それぞれ、複数の広告のうちの、特典を与えるための広告を選択するステップと、選択された特典を与えるための広告に関連付けるＵＲＬを取得するステップとを示している。なお、複数の広告は、予め広告配信サーバ２２０に記憶しておくことができる。また、特典を与えるための広告に関連付けるＵＲＬは、アクセス回数の制限されたものであることが好ましい。ステップ３４０の実現例については、後述する。
【００３８】
３５０及び３６０は、所定の条件を満たしていないと判定された場合に進むステップであって、それぞれ、複数の広告のうちの、特典を与えるための広告以外の広告を選択するステップと、選択された広告に関連付けるＵＲＬを取得するステップとを示している。
【００３９】
特典を与えるための広告以外の広告の選択は、任意の手法で行ってよい。例えば、選択手法は、複数の広告から、特典を与えるための広告以外の広告をランダムに選択するものであってもよいし、複数の広告の各広告に順序を付け、広告を順番に選択するものであってもよい。このとき、特典を与えるための広告は、順序を付す対象から除外してよいことは言うまでもない。また、順番に選択する場合に、最後の広告が選択された後には、最初の広告が選択されるようにしてよいことは言うまでもない。
【００４０】
また、特典を与えるための広告以外の広告に関連付けるＵＲＬは、予め広告配信サーバ２２０に記憶しておくことができる。
【００４１】
３７０は、要求をしたクライアント２１０に、選択された広告と当該広告に関連付けられたＵＲＬとを配信するステップを示している。
【００４２】
２−３  予め指定されている状態が所定の条件を満たしているかの判定の具体例
予め指定されている状態及び所定の条件の第１例は、それぞれ、ランダム値及び所定の閾値である。第１例によると、クライアント２１０は、ステップ３１０においてランダム値を取得し、ステップ３２０において取得したランダム値が所定の閾値以上であるかを判定する。
【００４３】
予め指定されている状態及び所定の条件の第２例は、それぞれ、上記ランダム値と特典を与えるための広告が配信された回数との組み合わせ、及び、上記所定の閾値と配信回数の上限との組み合わせである。第２例によると、クライアント２１０は、ステップ３１０においてランダム値及び特典を与えるための広告が配信された回数を取得し、ステップ３２０において、ランダム値が所定の閾値以上であり、且つ、取得した回数が配信回数の上限以下であるかを判定する。
【００４４】
予め指定されている状態及び所定の条件の第３例は、それぞれ、複数の広告全体についての広告が配信された回数、言い換えると、ステップ３７０が実行された回数、及び、配信回数である。第３例によると、クライアント２１０は、ステップ３１０において広告が配信された回数を取得し、ステップ３２０において、取得した回数が所定の数の倍数であるか、所定の数以上の素数であるか、所定数と等しいか等を判定する。
【００４５】
上に説明した予め指定されている状態及び所定の条件の具体例は、例示にすぎないことに留意されたい。
【００４６】
２−４  アクセス可能回数の制限されたＵＲＬの実現例
この実現例において、ＵＲＬは、コンピュータを特定するための部分と、当該コンピュータがホストしているＷｅｂページを特定するための部分とを含むものとする。例えば、ＵＲＬが「ｗｗｗ．○○○．ｃｏｍ／ｘｘｘ」である場合に、コンピュータを特定するための部分は「ｗｗｗ．○○○．ｃｏｍ」であり、Ｗｅｂページを特定するための部分は「ｘｘｘ」である。従って、そのようなＵＲＬに基づくアクセスによれば、「ｘｘｘ」がどのような文字列であるかに関わらず、「ｗｗｗ．○○○．ｃｏｍ」の部分が特定するコンピュータと通信可能である。
【００４７】
図４、５及び６は、アクセス可能回数の制限されたＵＲＬを実現するための処理の流れの例を表している。
【００４８】
図４の３４０で示された、広告配信サーバ２２０で実行される部分は、図３のステップ３４０の一例である。
【００４９】
４１０は、広告配信サーバ２２０が、特典Ｗｅｂサーバ２３０に、特典を与えるための広告に関連付けるＵＲＬを要求するステップを示している。
【００５０】
４２０は、特典Ｗｅｂサーバ２３０が、特典を与えるための広告に関連付けるＵＲＬを生成するステップを示している。生成するＵＲＬのうちＷｅｂページを特定する部分は、ランダムな文字列として動的に生成することが好ましい。また、生成するＵＲＬのコンピュータを特定する部分は、特典Ｗｅｂサーバ２３０を特定するものである。
【００５１】
４３０は、特典Ｗｅｂサーバ２３０が、生成したＵＲＬを記憶するステップを示している。
【００５２】
４４０は、特典Ｗｅｂサーバ２３０が、広告配信サーバ２２０に、生成したＵＲＬを返すステップを示している。広告配信サーバ２２０は、返されたＵＲＬを、特典を与えるための広告に関連付けるＵＲＬとして取得する。上述したように、広告配信サーバ２２０は、その後、特典を与えるための広告と、当該広告に関連付けられたＵＲＬとをクライアント２１０に配信する（図３のステップ３７０）
図５は、クライアント２１０に特典を与えるための広告が表示されているときに、表示されている広告を選択する入力をクライアント２１０が受けたときの処理を表している。
【００５３】
５１０は、表示されている広告即ち特典を与えるための広告に関連付けられたＵＲＬに基づき、クライアント２１０が特典Ｗｅｂサーバ２３０にアクセスするステップを示している。
【００５４】
５２０は、特典Ｗｅｂサーバ２３０が、アクセスを受けたＵＲＬについての判定をするステップを示している。このステップについては、後述する。
【００５５】
５３０は、特典Ｗｅｂサーバ２３０がクライアント２１０に、ステップ５２０における判定の結果を返すステップを示している。
【００５６】
５４０は、クライアント２１０が、判定結果に応じた表示を行うステップを示している。ステップ５３０において、判定の結果として特典Ｗｅｂページデータが返されれば、クライアント２１０は特典Ｗｅｂページを表示するができる。
【００５７】
図６は、ステップ５２０の詳細を表している。
【００５８】
６１０は、特典Ｗｅｂサーバ２３０が、アクセスを受けたＵＲＬは、過去に生成したものであるかを判定するステップを示している。上述したように、特典Ｗｅｂサーバ２３０は、生成したＵＲＬをステップ４３０において記憶している（図４を参照）。
【００５９】
６２０は、ステップ６１０の判定が真（ｙｅｓ）であった場合のステップであって、特典Ｗｅｂサーバ２３０が、アクセスを受けたＵＲＬについての今までのアクセス回数が、所定回数以下であるかを判定するステップを示している。
【００６０】
６３０は、ステップ６２０の判定が真（ｙｅｓ）であった場合のステップであって、特典Ｗｅｂサーバ２３０が、判定結果として、特典Ｗｅｂページデータを準備するステップを示している。従って、この場合には、ステップ５３０において特典Ｗｅｂページのデータが返されることになる（図５を参照）。
【００６１】
６４０は、ステップ６１０又は６２０の判定が偽（ｎｏ）であった場合のステップであって、特典Ｗｅｂサーバ２３０が、判定結果として、エラーを示すデータを準備するステップを示している。このことは、クライアント２１０からのアクセスが拒絶された即ち可能でなかったことを意味する。従って、この場合には、ステップ５３０において特典Ｗｅｂページデータは返されないから、クライアント２１０は、特典Ｗｅｂページを表示することができない。
【００６２】
６５０は、特典Ｗｅｂサーバ２３０が、アクセスを受けたＵＲＬについてのアクセス回数を更新するステップを示している。
【００６３】
なお、ステップ６５０において、アクセスを受けたＵＲＬを単に記憶し、ステップ６２０において、アクセスを受けたと記憶されているＵＲＬに対するアクセスがあった場合にステップ６４０に進むようにすれば、アクセス可能回数は１回となる。
【００６４】
２−５  広告配信方法による技術的効果
ユーザが欲するであろう特典を与えるための特典Ｗｅｂページを表示するためには、クライアント２１０に特典を与えるための広告が表示されなければならない。従って、ユーザは、特典を与えるための広告の表示を見逃さないように、表示が変化する広告、例えば広告１１２及び１２２に絶えず注目することが期待される（図１Ａ及び１Ｂを参照）。
【００６５】
更に、特典を与えるための広告がアクセス回数の制限されたＵＲＬに関連付けられるため、特典Ｗｅｂページの表示回数にも制限が付されることになる。
【００６６】
３  本発明の実施の第１態様の別の例
本発明の実施の第１態様の別の例は、節２にて説明した広告配信方法であって、特典を与えるための広告に関連付けられるＵＲＬに係る処理を少なくとも部分的に含まないものである。例えば、この節における広告配信方法は、ステップ３４０を含まず、ステップ３７０において、特定の広告に関連付けるＵＲＬを配信しないものであってよい（図３を参照）。即ち、特典Ｗｅｂページに相当するものは、存在しなくてもよい。
【００６７】
しかしながら、この節における広告配信方法において、特典を与えるための広告は、広告そのものが特典を含むもの、例えば図１Ｆに表されるようなものであることが好ましい。ユーザは、それ自身に特典を含む、特典を与えるための広告の表示を見逃さないように、表示が変化する広告、例えば広告１１２及び１２２に絶えず注目することが期待される（図１Ａ及び１Ｂを参照）。
【００６８】
４  本発明の実施の更なる態様の例
本発明の実施の第２態様の例は、上述した広告配信方法を実行するコンピュータである。そのようなコンピュータの一例は、上述した広告配信サーバ２２０である。
【００６９】
本発明の実施の第３態様の例は、上述した広告配信方法をコンピュータに実行させるプログラムである。
【００７０】
５  コンピュータ
図７は、コンピュータのハードウェア構成の一例を表している。同図に示すように、コンピュータ７００は、主に、プロセッサ７１０と、主記憶装置７２０と、補助記憶装置７３０と、ユーザインターフェース７４０と、通信インターフェース７５０とを備えており、これらはアドレスバス、データバス、コントロールバス等を含むバスライン７６０を介して相互に接続されている。なお、バスライン７６０と各ハードウェア資源との間には適宜インターフェース回路（図示せず）が介在している場合もある。
【００７１】
プロセッサ７１０は、コンピュータ全体の制御を行う。
【００７２】
主記憶装置７２０は、プロセッサ７１０に対して作業領域を提供し、例えばＳＲＡＭ、ＤＲＡＭ等の揮発性メモリである。
【００７３】
補助記憶装置７３０は、ソフトウェアであるプログラム等や各種データ等を格納する、例えば、ハードディスクドライブ、フラッシュメモリ等の不揮発性メモリである。当該プログラムは、任意の時点で補助記憶装置７３０からバスライン７６０を介して主記憶装置７２０へとロードされる。
【００７４】
ユーザインターフェース７４０は、ユーザに情報を提示すること及びユーザから情報の入力を受けることの一方又は双方を行うものであり、例えば、キーボード、マウス、ディスプレイ、タッチパネルディスプレイ、マイク、スピーカ等である。
【００７５】
通信インターフェース７５０は、ネットワーク２４０と接続されるものであり、ネットワーク２４０を介してデータを送受する。通信インターフェース７５０とネットワーク２４０とは、有線又は無線で接続されうる。通信インターフェース７５０は、ネットワークに係る情報、例えば、Ｗｉｆｉのアクセスポイントに係る情報、通信キャリアの基地局に関する情報等も取得することがある。
【００７６】
６  むすび
以上、本発明の実施の態様の例を説明したが、他の類似する実施態様の採用や、適宜態様の変更又は追加を行うことができることに留意されたい。
【図１Ａ】
2017199185.tif 000003
【図１Ｂ】
2017199185.tif 000004
【図１Ｃ】
2017199185.tif 000005
【図１Ｄ】
2017199185.tif 000006
【図１Ｅ】
2017199185.tif 000007
【図１Ｆ】
2017199185.tif 000008
【図１Ｇ】
2017199185.tif 000009
【図１Ｈ】
2017199185.tif 000010
【図１Ｉ】
2017199185.tif 000011
【図２】
2017199185.tif 000012
【図３】
2017199185.tif 000013
【図４】
2017199185.tif 000014
【図５】
2017199185.tif 000015
【図６】
2017199185.tif 000016
【図７】
2017199185.tif 000017